(57)【要約】      （修正有）【課題】ノートの種類にかかわらず快適な使用感を与えることのできるノートカバーを提供する。【解決手段】複数の表紙５、６、７を連設させてなるノートカバー１であって、少なくとも一方の側端に位置する表紙７に、ノートの表紙７を保持するためのノート保持用ポケット７２を備え、このノート保持用ポケット７２が、外側方に開放させてなる。【選択図】図３
2011201071.tif 000002
【特許請求の範囲】
【請求項１】
複数の表紙を連設させてなるノートカバーであって、
少なくとも一方の側端に位置する表紙に、ノートの表紙を保持するためのノート保持用ポケットを備え、
このノート保持用ポケットが、外側方に開放させてなるものであることを特徴とするノートカバー。
【請求項２】
前記複数の表紙が、表表紙と、この表表紙の一側縁につなぎ部を介して連設された裏表紙と、前記表表紙及び裏表紙のうち少なくとも一方の一側縁につなぎ部を介して連設された折込表紙であり、前記ノート保持用ポケットが、前記折込表紙に外側方に開放させて設けられたものである請求項１記載のノートカバー。
【請求項３】
前記ノート保持用ポケットが、表紙間に複数の中紙をリング綴じ具により綴じたリングノートを保持するためのものである請求項１または２記載のノートカバー。
【請求項４】
前記折込表紙が、前記リング綴じ具のリング径寸法よりも小さな厚み寸法を有したものである請求項３記載のノートカバー。
【請求項５】
前記折込表紙が、ベースと、このベースの一面に設けた前記ノート保持用ポケットとを具備してなる請求項２、３または４記載のノートカバー。
【請求項６】
前記ベースが、ベースシートから成り、前記ノート保持用ポケットが、前記ベースシートの一面にポケットシートを重ね合わせることにより形成されたものである請求項５記載のノートカバー。
【請求項７】
前記折込表紙が、一枚の樹脂製シート素材の上下両端部を折り返すことにより一体に形成されたものであり、前記シート素材の折り返した折り返し部分を前記ポケットシートとし、前記シート素材の中間部分を前記ベースシートとしている請求項６記載のノートカバー。
【請求項８】
前記表表紙及び裏表紙が、外側のベース生地と内側のベース生地との間に芯材を介在させた基本構造を備えたものであり、前記表表紙または裏表紙と折込表紙とをつなぐためのつなぎ部が、前記ベース生地に連続するつなぎ生地によって形成されており、そのつなぎ生地の側端縁に前記折込表紙の基端縁を縫いつけている２、３、４、５、６または７記載のノートカバー。
【請求項９】
前記折込表紙が、前記表表紙と裏表紙との間に折り込んで収容できるものである請求項２、３、４、５、６、７または８記載のノートカバー。
【請求項１０】
前記折込表紙が、その側端部にしおりひもを備えている請求項２、３、４、５、６、７、８及び９記載のノートカバー。
【請求項１１】
前記外側方に開放されたノート保持用ポケットを備えている表紙以外の表紙に、内方に開放されたノート保持用ポケットを設けている請求項１、２、３、４、５、６、７、８、９または１０記載のノートカバー。
【発明の詳細な説明】
【技術分野】
【０００１】
本発明は、学習やビジネス等に好適に使用できるノートカバーに関する。
【背景技術】
【０００２】
従来、この種のノートカバーとして、表表紙と、この表表紙の一側縁につなぎ部を介して連設された裏表紙とを具備してなるものが知られている。この表表紙及び裏表紙は、その内面側にノート保持用のポケットが設けられており、そのポケットにノートの表紙を差し込んで用いられる。すなわち、このノートカバーによって、１冊のノートの表紙を保護したり、２種類のノートを表表紙と裏表紙とに保持させて適宜使い分けるようにしたりする等種々使い分けがなされている。
【０００３】
ところが、従来のノートカバーは、主に無線綴じノートを対象にして作られており、前記ポケットは、それぞれ内方に開放している。そのため、かかるノートカバーに、表紙間に複数の中紙をリング綴じ具により綴じたリングノートを保持させた場合、リングノートが備えている本来の機能を十分に発揮させて使用することができないという問題がある。すなわち、リングノートは、無線綴じノートのように見開き状態で使用するだけでなく、折り返し状態で使用することも少なくない。しかし、リングノートの表紙を内向きに開放したポケットに差し込むと、折り返し状態で使用することが困難になり、何らかの対策が望まれていた。
【０００４】
詳述すれば、リングノートの表紙を内向きに開放したポケットに差し込んで折り返し状態にすると、表面に表出する中紙と裏面に表出する中紙との間に、リングノートの厚みと、ノートカバーの表表紙及び裏表紙の厚みとが重なることになる。一方、リング綴じ具は、通常、リングノート自体の厚みを基準として作られている。そのため、前述したようにリングノートとノートカバーの表紙とが重なった厚みによって、中紙が表紙から浮いて不当に膨らんだ状態となってしまい、使用者がリングノートを使う際に違和感を覚えるという問題が生じていた。
【先行技術文献】
【非特許文献】
【０００５】
【非特許文献１】“カバーノート＜ＳＹＳＴＥＭＩＣ＞”，コクヨ総合カタログ２０１０年版ステーショナリー編，コクヨ株式会社，平成２１年１２月，ｐ．７４０
【発明の概要】
【発明が解決しようとする課題】
【０００６】
本発明は、上述した問題を抑制または解消し、ノートの種類にかかわらず快適な使用感を与えることのできるノートカバーを提供することを目的とする。
【課題を解決するための手段】
【０００７】
本発明は、以上のような課題を解決するために、次のような構成を採用したものである。すなわち、本発明にかかるノートカバーは、複数の表紙を連設させてなるものであって、少なくとも一方の側端に位置する表紙に、ノートの表紙を保持するためのノート保持用ポケットを備え、このノート保持用ポケットが、外側方に開放させてなるものであることを特徴とする。
【０００８】
このようなものであれば、外側方に開放させたノート保持用ポケットにノートの表紙を保持させることによって、ノートカバーの側端に、見開き状態にした際のノートの中央部が位置する。そのため、ノートを見開き状態で使用する場合のみならず、折り返し状態で使用する際にも快適に使用することができる。すなわち、本発明では、折り返し状態で使用する際のノートの中紙間には前記ノート保持用ポケットを備える表紙のみが位置することになるため、ノートの中紙間に挟み込まれる厚みを従来よりも薄くできるものである。
【０００９】
ここで、「ノート保持用ポケット」とは、ノートの表紙を保持するもののみならず、ノートの中紙を保持するものや、ノートの表紙及び中紙の両方を保持するものであってもよい。
【００１０】
また、「見開き状態」とは、ノートを略１８０度開いた状態をいい、「折り返し状態」とは、ノートを略３６０度開いた状態をいう。
【００１１】
このノートカバーの具体的な一態様としては、前記複数の表紙が、表表紙と、この表表紙の一側縁につなぎ部を介して連設された裏表紙と、前記表表紙及び裏表紙のうち少なくとも一方の一側縁につなぎ部を介して連設された折込表紙であり、前記ノート保持用ポケットが、前記折込表紙に外側方に開放させて設けられたものを挙げることができる。すなわち、ノートカバーの一側端側に折込表紙を配する場合と、ノートカバーの両側端側に折込表紙を配する場合が考えられる。ノートカバーの一側端側に折込表紙を配する場合としては、前記折込表紙が、前記表表紙の一側縁につなぎ部を介して連設されたものである場合と、前記裏表紙の一側縁につなぎ部を介して連設されたものである場合とがある。一方、ノートカバーの両側端側に折込表紙を設ける場合としては、前記表表紙の一側縁につなぎ部を介して連設された折込表紙と、前記裏表紙の一側縁につなぎ部を介して連設された折込表紙を有するものが挙げられる。
【００１２】
前記ノート保持用ポケットの好適な一態様としては、表紙間に複数の中紙をリング綴じ具により綴じたリングノートを保持するためのものであるものが挙げられる。
【００１３】
前記折込表紙は、前記リング綴じ具のリング径寸法よりも小さな厚み寸法を有したものであることが好ましい。
【００１４】
前記折込表紙の具体的な態様としては、ベースと、このベースの一面に設けた前記ノート保持用ポケットとを具備してなるものが挙げられる。
【００１５】
前記ベースは、ベースシートから成り、前記ノート保持用ポケットが、前記ベースシートの一面にポケットシートを重ね合わせることにより形成されたものであることが好ましい。
【００１６】
前記折込表紙の製造を比較的容易に行うには、折込表紙が、一枚の樹脂製シート素材の上下両端部を折り返すことにより一体に形成されたものであり、前記シート素材の折り返した部分を前記ポケットシートとし、前記シート素材の中間部分を前記ベースシートとすればよい。
【００１７】
前記表表紙及び裏表紙が、外側のベース生地と内側のベース生地との間に芯材を介在させた基本構造を備えたものである場合の好適な一態様としては、前記表表紙または裏表紙と折込表紙とをつなぐためのつなぎ部が、前記ベース生地に連続するつなぎ生地によって形成されており、そのつなぎ生地の側端縁に前記折込表紙の基端縁を縫いつけているものが挙げられる。
【００１８】
前記折込表紙は、その側端部にしおりひもを備えていれば、前記ノート保持用ポケットに差し込んで見開き状態のノートの中央が側端部に配されるので、このしおりひもをノートの中央部に挟むことができる。
【００１９】
複数のノートを保持するためには、前記外側方に開放されたノート保持用ポケットを備えている表紙以外の表紙に、内方に開放されたノート保持用ポケットを設けているのが好ましい。
【発明の効果】
【００２０】
本発明によれば、ノートの種類にかかわらず快適な使用感を与えることのできるノートカバーを提供することができる。
【図面の簡単な説明】
【００２１】
【図１】本発明の一実施形態のノートカバーを示す正面図。
【図２】同実施形態のノートカバーを示す背面図。
【図３】同実施形態のノートカバーを示す斜視図。
【図４】同実施形態のノートカバーの使用状態を示す斜視図。
【図５】同実施形態のノートカバーの使用状態を示す斜視図。
【図６】同実施形態のノートカバーの使用状態を示す斜視図。
【図７】同実施形態のノートカバーの使用状態を示す斜視図。
【図８】同実施形態の折込表紙の構造を示す説明図。
【図９】本発明の他の実施形態のノートカバーを示す正面図。
【図１０】同実施形態のノートカバーを示す背面図。
【図１１】本発明のさらに他の実施形態のノートカバーを示す正面図。
【図１２】同実施形態のノートカバーを示す背面図。
【発明を実施するための形態】
【００２２】
以下、本発明の一実施形態について図１ないし図８を参照して説明する。
【００２３】
本実施形態にかかるノートカバー１は、図１ないし図３に示すように、複数の表紙５、６、７を連設させてなるものであって、少なくとも一方の側端に位置する表紙たる折込表紙７に、リングノートＲの表紙Ｒ２を保持するためのノート保持用ポケット７２を備え、このノート保持用ポケット７２が、外側方に開放させてなるものである。すなわち、このノートカバー１は、前記複数の表紙として、表表紙５と、この表表紙５の一側縁に第１のつなぎ部２１を介して連設された裏表紙６と、前記裏表紙６の一側縁に第２のつなぎ部２２を介して連設された折込表紙７とを備えたものであり、前記ノート保持用ポケット７２が、前記折込表紙７に外側方に開放させて設けられたものである。また、前記外側方に開放されたノート保持用ポケット７２を備えている折込表紙７以外の表紙、すなわち、表表紙５及び裏表紙６には、内方に開放されたノート保持用ポケット５２、６２を設けている。
【００２４】
なお、図１は、表表紙５、裏表紙６及び折込表紙７を全て展開した状態で外面側からみた正面図であり、図２は、同展開した状態で内面側からみた背面図である。また、図３は、図２に示す状態から折込表紙７を途中まで起こした状態の斜視図である。
【００２５】
前記表表紙５は、図１ないし図３に示すように、ベース５１と、このベース５１の内面に設けられたノート保持用ポケット５２と、前記ベース５１の外側に設けられた収納用ポケット５３とを備えたものである。具体的には、ベース５１は、外側のベース生地５４と内側のベース生地５５との間に図示しない芯材を挟み込んでなる板状のものである。
【００２６】
前記ノート保持用ポケット５２は、図２及び図３に示すように、前記ベース５１の内面に上下のポケットシート５６、５７を重ね合わせることにより形成された袋状のもので、内方に開放されている。すなわち、前記上のポケットシート５６の上縁と外側縁、及び下のポケットシート５７の外側縁と下縁とは、前記ベース５１の周縁に縫製糸８を用いて縫いつけられている。上下のポケットシート５６、５７の内側縁は従来と同様に開放されており、この内側縁側から無線綴じノートＮの表紙Ｎ１を差し込むことができるようになっている。なお、図５及び図６は、無線綴じノートＮを表表紙５のノート保持用ポケット５２に装着した状態を示している。
【００２７】
前記収納用ポケット５３は、図１に示すように、ベース５１の外面に収納用ポケット生地５８を重ね合わせることにより形成された袋状のもので、上方に開放されている。この収納用ポケット生地５８も、前記ベース５１の周縁に前記縫製糸８を用いて縫いつけられている。
【００２８】
前記裏表紙６は、図１ないし図３に示すように、ベース６１と、このベース６１の内面に設けられたノート保持用ポケット６２と、前記ベース６１の外側に設けられた収納用ポケット６３とを備えたものである。具体的には、ベース６１は、外側のベース生地６４と内側のベース生地６５との間に図示しない芯材を挟み込んでなる板状のものである。
【００２９】
前記ノート保持用ポケット６２は、図２及び図３に示すように、前記ベース６１の内面に上下のポケットシート６６、６７を重ね合わせることにより形成された袋状のもので、内方に開放されている。すなわち、前記上のポケットシート６６の上縁と外側縁、及び下のポケットシート６７の外側縁と下縁とは、前記ベース６１の周縁に縫製糸８を用いて縫いつけられている。上下のポケットシート６６、６７の内側縁は従来と同様に開放されており、この内側縁側から無線綴じノートＮの表紙Ｎ１を差し込むことができるようになっている。
【００３０】
前記収納用ポケット６３は、図１に示すように、ベース６１の外面に収納用ポケット生地６８を重ね合わせることにより形成された袋状のもので、上方に開放されている。この収納用ポケット生地６８も、前記ベース６１の周縁に前記縫製糸８を用いて縫いつけられている。
【００３１】
前記折込表紙７は、図１ないし図３に示すように、ベース７１と、このベース７１の内面に設けられたノート保持用ポケット７２とを備えたものである。すなわち、この折込表紙７は、ベース７１と、このベース７１の一面に設けた前記ノート保持用ポケット７２とを具備してなる。具体的には、ベース７１は、ベースシート７３を主体に構成されている。
【００３２】
前記ノート保持用ポケット７２は、図１ないし図３に示すように、前記ベースシート７３の一面にポケットシート７４、７５を重ね合わせることにより形成されたものである。すなわち、この折込表紙７は、図８に示すように、一枚の樹脂製シート素材Ｓの上下両端部を折り返すことにより一体に形成されたものであり、前記シート素材Ｓを折り返した折り返し部分Ｓ１を前記ポケットシート７４、７５とし、前記シート素材Ｓの中間部分Ｓ２を前記ベースシート７３としている。このノート保持用ポケット７２は、前記ベース７１の内面に上下のポケットシート７４、７５を重ね合わせることにより形成された袋状のもので、外方に開放されている。すなわち、前記ポケットシート７４、７５の内側縁とベースシート７３の内側縁とは、縫製糸８を用いて縫いつけられている。また、上下のポケットシート７４、７５の外側縁は開放されており、この外側縁側からリングノートＲの表紙Ｒ２等を差し込むことができるようになっている。すなわち、このノート保持用ポケット７２は、表紙Ｒ１、Ｒ２間に複数の中紙Ｒ３をリング綴じ具Ｒ４により綴じたリングノートＲを保持するためのものである。
【００３３】
なお、図４は、リングノートＲを折込表紙７のノート保持用ポケット７２に装着しようとする状態を示しており、図５及び図６は、同リングノートＲを装着した状態を示している。また、図７は、前記折込表紙７を前記表表紙５と裏表紙６との間に折り込んで収容した状態を示す。なお、同図中、４は、折込表紙７を収容した状態で、表表紙５及び裏表紙６を綴じることができるゴムバンドである。
【００３４】
また、この折込表紙７は、前記リング綴じ具Ｒ４のリング径寸法よりも小さな厚み寸法を有したものである。詳述すれば、折込表紙７は、前記ノート保持用ポケット７２に装着したリングノートＲを、図５及び図６に示すような折り返し状態にした場合でも、リングノートＲの中紙Ｒ３に不当な膨らみが生じることのないような厚み寸法に設定されている。換言すれば、リングノートＲの表紙Ｒ１、Ｒ２及び中紙Ｒ３の厚み寸法と、前記折込表紙７の厚み寸法との合計寸法が、前記リング綴じ具Ｒ４のリング径寸法よりも小さくなるように設定されている。また、同図中、９はしおりひもであり、前記折込表紙７の側端部７ａに設けられている。
【００３５】
前記つなぎ部としては、図１ないし図３に示すように、前記表表紙５と裏表紙６とをつなぐ第１のつなぎ部２１と、前記裏表紙６と折込表紙７とをつなぐ第２のつなぎ部２２とが存在する。これらの第１のつなぎ部２１及び第２のつなぎ部２２は、それぞれ前記ベース生地５４、５５、６４、６５に連続するつなぎ生地２３、２４によって形成されている。すなわち、外側のベース生地５４、６４と内側のベース生地５５、６５との間に芯材を介在させた表表紙５及び裏表紙６に対して、前記つなぎ部２１、２２は、前記芯材を有していない部分である。
【００３６】
前記第１のつなぎ部２１は、図１ないし図３に示すように、前記表表紙５の一側縁に連続して設けられたもので、前記表表紙５のベース生地５４、５５に連続するつなぎ生地２３によって形成されており、そのつなぎ生地２３の側端縁に前記裏表紙６の一側縁を縫いつけている。この第１のつなぎ部２１のつなぎ生地２３の外面は、前記表表紙５及び裏表紙６の外側のベース生地５４、６４と一体に形成されている。また、第１のつなぎ部２１のつなぎ生地２３の内面は、前記表表紙５及び裏表紙６の内側のベース生地５５、６５と一体に形成されている。また、この第１のつなぎ部２１の上端部には、しおりひも３が設けられている。
【００３７】
前記第２のつなぎ部２２は、図１ないし図３に示すように、前記裏表紙６の一側縁に連続して設けられたもので、前記裏表紙６のベース生地６４、６５に連続するつなぎ生地２４によって形成されており、そのつなぎ生地２４の側端縁に前記折込表紙７の基端縁を縫いつけている。この第２のつなぎ部２２のつなぎ生地２４の外面は、前記裏表紙６の外側のベース生地６４と一体に形成されている。
【００３８】
以上に述べたように、本実施形態に係るノートカバー１は、複数の表紙５、６、７を連設させてなるものであって、一方の側端に位置する折込表紙７に、リングノートＲの表紙Ｒ２を保持するためのノート保持用ポケット７２を備え、このノート保持用ポケット７２が、外側方に開放させてなるものであるので、前記ノート保持用ポケット７２にリングノートＲの表紙Ｒ２を保持させることによって、ノートカバー１の側端部、すなわちノート保持用ポケット７２が外側方に開放させている領域に臨んでいる折込表紙７の側端部７ａに、見開き状態にした際のリングノートＲの中央部が位置する。換言すれば、リングノートＲのリング綴じ具Ｒ４が、前記折込表紙７の側端部７ａに位置することとなる。そのため、リングノートＲを折り返し状態で使用する際にも快適に使用することができる。すなわち、本実施形態にかかるノートカバー１によれば、折り返し状態で使用する際のリングノートＲの中紙Ｒ３間には前記折込表紙７が位置することになるため、ノートの中紙Ｒ３間に挟み込まれる厚みを従来よりも小さくできる。したがって、リングノートＲが備えている本来の機能を十分に発揮させつつ、快適に使用することができる。また、例えば、前記折込表紙７を裏表紙６に重ね合わせるように折り畳むことで、リングノートＲを見開き状態で使用することも可能である。
【００３９】
前記複数の表紙が、表表紙５と、この表表紙５の一側縁に第１のつなぎ部２１を介して連設された裏表紙６と、前記裏表紙６の一側縁に第２のつなぎ部２２を介して連設された折込表紙７であるので、前記第１のつなぎ部２１及び第２のつなぎ部２２を用いて、表表紙５と裏表紙６、並びに、裏表紙６と折込表紙７をそれぞれ重ね合わせるように折り畳むことができる。
【００４０】
また、前記折込表紙７は、前記リング綴じ具Ｒ４のリング径寸法よりも小さな厚み寸法を有したものであるので、前記ノート保持用ポケット７２に装着したリングノートＲを、折り返し状態にした場合でも、リングノートＲの中紙Ｒ３に不当な膨らみが生じることを抑制できる。さらに、リングノートＲの表紙Ｒ１及び中紙Ｒ３の厚み寸法と、前記折込表紙７の厚み寸法との合計寸法が、前記リング綴じ具Ｒ４のリング径寸法よりも小さくなるように設定されるので、リングノートＲの中紙Ｒ３に不当な膨らみが生じることをより一層抑制できる。
【００４１】
前記折込表紙７が、一枚の樹脂製シート素材Ｓの上下両端部を折り返すことにより一体に形成されたものであるので、比較的容易に折込表紙７を製造することができる。また、上下両端部が折り返されるので、その部分を再度接着または縫い合わせる必要がなくなり、工数の削減を図ることができる。すなわち、この折込表紙７は、基端側のみを前記第２のつなぎ部２２に縫いつけるだけで、前記裏表紙６に取り付けることができる。
【００４２】
また、前記シート素材Ｓの折り返し部分Ｓ１を前記ポケットシート７４、７５とし、前記シート素材Ｓの中間部分Ｓ２を前記ベースシート７３としているので、前記上のポケットシート７４と下のポケットシート７５との間に、横方向に伸びるスリット７６が形成されることとなる。換言すれば、このスリット７６は、前記折込表紙７の外側方への開放とは直交する方向に形成されるものである。そのため、このベースシート７３とポケットシートとの間に、前記リングノートＲの表紙Ｒ２を差し込みやすくすることができる。
【００４３】
前記表表紙５及び裏表紙６が、外側のベース生地５４、６４と内側のベース生地５５、６５との間に芯材を介在させた基本構造を備えたものであるので、芯材によって強度を確保しつつ、ノートカバー１を閉じた状態でも外部に露出する表表紙５及び裏表紙６の美観を向上させることができる。一方、折込表紙７は、樹脂製のシートを主体に形成されているので、折込表紙７の強度を保ちながら可及的に厚みを小さくすることができる。
【００４４】
また、前記裏表紙６と折込表紙７とをつなぐための第２のつなぎ部２２が、前記ベース生地６４、６５に連続するつなぎ生地２４によって形成されており、そのつなぎ生地２４の側端縁に前記折込表紙７の基端縁を縫いつけているので、樹脂製のシート素材Ｓから形成された折込表紙７を容易に裏表紙６に取り付けることができる。また、第２のつなぎ部２２は、芯材を有しておらず、主としてつなぎ生地２４によって形成されているので、変形させやすい。そのため、折込表紙７を裏表紙６側に容易に重ね合わせるように畳み込むことができ、このような畳み込み動作を繰り返し行うことにも耐え得るものである。
【００４５】
さらに、前記折込表紙７は、前記表表紙５と裏表紙６との間に折り込んで収容できるものである。換言すれば、折込表紙７は、前記表表紙５と裏表紙６との間に折り込んで収容できるように、表表紙５、裏表紙６、及び折込表紙７、ならびに第１のつなぎ部２１、及び第２のつなぎ部２２の寸法が設定されているので、ノートカバー１を閉じた状態で保管及び持ち運びすることが容易である。
【００４６】
前記折込表紙７が、その側端部７ａにしおりひも９を備えているので、リングノートＲの表紙Ｒ２を前記ノート保持用ポケット７２に差し込んだ際に、リングノートＲのリング綴じ具Ｒ４が折込表紙７の側端部７ａに位置することと相俟って、しおりひも９をリングノートＲの中央部に挟むことができる。
【００４７】
さらに、前記外側方に開放されたノート保持用ポケット７２を備えている折込表紙７以外の表紙たる表表紙５及び裏表紙６に、内方に開放されたノート保持用ポケット５２、６２を設けているので、内方に開放されたノート保持用ポケット５２、６２には無線綴じノートＮを保持させ、外側方に開放されたノート保持用ポケット７２にはリングノートＲを保持させることによって、複数種類のノートＮ、Ｒを一度に保持して使用することができる。また、この内方に開放されたノート保持用ポケット５２、６２は、ノートの他に、資料や名刺などを挟み込むことも可能である。
【００４８】
また、表表紙５及び裏表紙６は、収納用ポケット５３、６３を有しているので、ペン等の筆記具や付箋など、ノートと一緒に利用する頻度の高い小物を収容することができる。
【００４９】
なお、本発明は以上に述べた実施形態に限られない。
【００５０】
まず、本発明の他の実施形態にかかるノートカバー１を、図９及び図１０を参照して説明する。なお、以下の実施形態において上記実施形態に対応する構成要素には同様の符号を付して示すものとし、具体的な説明を省略する。図９は、表表紙５、裏表紙６及び両側の折込表紙７、７を全て展開した状態で外面側からみた正面図であり、図１０は、同展開した状態で内面側からみた背面図である。
【００５１】
このノートカバー１は、図９及び図１０に示すように、前記複数の表紙として、表表紙５と、この表表紙５の一側縁に第１のつなぎ部２１を介して連設された裏表紙６と、前記表表紙５及び裏表紙６の両側縁に第２のつなぎ部２２及び第３のつなぎ部２５を介して連設された折込表紙７、７とを備えたものであり、前記ノート保持用ポケット７２が、前記折込表紙７、７にそれぞれ外側方に開放させて設けられたものである。すなわち、前記つなぎ部として、前記第１のつなぎ部２１及び第２のつなぎ部２２の他に、前記表表紙５と折込表紙７とをつなぐ第３のつなぎ部２５を備えており、これら第１のつなぎ部２１、第２のつなぎ部２２、及び第３のつなぎ部２５は、それぞれ前記ベース生地５４、５５、６４、６５に連続するつなぎ生地２３、２４、２６によって形成されている。これら第１のつなぎ部２１、第２のつなぎ部２２、及び第３のつなぎ部２５は、前記芯材を有していない部分である。
【００５２】
第３のつなぎ部２５は、図９及び図１０に示すように、前記表表紙５の一側縁に連続して設けられたもので、前記表表紙５のベース生地５４、５５に連続するつなぎ生地２６によって形成されており、そのつなぎ生地２６の側端縁に前記折込表紙７の基端縁を縫いつけている。この第３のつなぎ部２５のつなぎ生地２６の外面は、前記表表紙５の外側のベース生地５４と一体に形成されている。
【００５３】
このようなものであれば、両側の折込表紙７、７にリングノートＲをそれぞれ保持させることが可能となる。
【００５４】
また、表表紙５及び裏表紙６のノート保持用ポケット５２、６２は、図１０に示すように、それぞれ一枚のポケットシート５９、６９から形成されたいわゆるホルダータイプのものである。このノート保持用ポケット５２、６２は、前記ベース５１、６１の内面にポケットシート５９、６９を重ね合わせることにより形成されたホルダー状のもので、内方に開放されている。すなわち、前記ポケットシート５９、６９の外側縁と下縁とは、前記ベース５１、６１の周縁に縫製糸８を用いて縫いつけられている。
【００５５】
次に、本発明のさらに他の実施形態にかかるノートカバー１を、図１１及び図１２を参照して説明する。なお、以下の実施形態において上記実施形態に対応する構成要素には同様の符号を付して示すものとし、具体的な説明を省略する。図１１は、表表紙５、裏表紙６及び折込表紙７を全て展開した状態で外面側からみた正面図であり、図１２は、同展開した状態で内面側からみた背面図である。
【００５６】
このノートカバー１は、上述した実施形態とノート保持用ポケット６２、７２の形状が異なるものである。
【００５７】
具体的には、裏表紙６のノート保持用ポケット６２は、図１２に示すように、一枚のポケットシート６９から形成されたいわゆるホルダータイプのものである。このノート保持用ポケット６２は、前記ベース６１の内面にポケットシート６９を重ね合わせることにより形成されたホルダー状のもので、内方に開放されている。すなわち、前記ポケットシート６９の外側縁と下縁とは、前記ベース６１の周縁に縫製糸８を用いて縫いつけられている。
【００５８】
また、折込表紙７のノート保持用ポケット７２は、図１１及び図１２に示すように、上のポケットシート７４と下のポケットシート７５との折り返し幅を異ならせている。詳述すれば、このノート保持用ポケット７２の上のポケットシート７４の折り返し量は、下のポケットシート７５の折り返し量よりも小さく設定している。そのため、これら上のポケットシート７４及び下のポケットシート７５によって形成され幅方向に伸びるスリット７６は、前述した実施形態で示したノートカバー１のスリットに比べて上方に位置することとなる。
【００５９】
このようなものであれば、前記折込表紙７にリングノートＲ等を保持させることもできる他に、例えば、用紙の上端側を綴じてなるレポート用紙をより安定的に保持させることも可能である。
【００６０】
また、折込表紙に差し込むノートの種類は、リングノートに限られず、通常の無線綴じノート、レポート用紙、メモ帳等であってもよい。しかしながら、リングノートであれば、リングノートが備えている本来の機能を十分に発揮させて使用することができないという従来の問題を解消することができるため、この折込表紙の所期の目的を達成することができる。
【００６１】
さらに、ポケットシートの大きさ及び形状は、実施形態のものに限られない。ポケットシートは上下に分割されたもののみならず、例えば、１枚のポケットシートで、外側方及び上方に開放されたものや、外側方及び下方に開放されたものであってもよい。上のポケットシートと下のポケットシートとの間のスリットの大きさも種々変更可能である。また、外側方への開放の態様としては、本実施形態に示すように、折込表紙の側端が開放されたものに限られず、例えば、折込表紙の側端が開放されていなくとも、外側方へ開放するスリット状の開口部を有するようなものであってもよい。
【００６２】
また、表表紙または裏表紙のみからなるノートカバーの場合には、表表紙及び裏表紙のうち少なくとも一方に外側方に開放するノート保持用ポケットを設ければよい。
【００６３】
さらに、表表紙、裏表紙、及び折込表紙のうち少なくともいずれか１つに、外側方に開放するノート保持用ポケットを設けるとともに、内方に開放するノート保持用ポケットを設けたものであってもよい。
【００６４】
その他、本発明の趣旨を損ねない範囲で種々に変更してよい。
【符号の説明】
【００６５】
１…ノートカバー
２１、２２、２５…つなぎ部
２３、２４、２６…つなぎ生地
５…表表紙（表紙）
５２、６２、７２…ノート保持用ポケット
５４、６４…外側のベース生地
５５、６５…内側のベース生地
６…裏表紙（表紙）
７…折込表紙（表紙）
７１…ベース
７３…ベースシート
７４、７５…ポケットシート
９…しおりひも
Ｓ…シート素材
Ｓ１…折り返し部分
Ｓ２…中間部分
Ｒ…リングノート
Ｒ１、Ｒ２…表紙
Ｒ３…中紙
Ｒ４…リング綴じ具
【図１】
2011201071.tif 000003
【図２】
2011201071.tif 000004
【図３】
2011201071.tif 000005
【図４】
2011201071.tif 000006
【図５】
2011201071.tif 000007
【図６】
2011201071.tif 000008
【図７】
2011201071.tif 000009
【図８】
2011201071.tif 000010
【図９】
2011201071.tif 000011
【図１０】
2011201071.tif 000012
【図１１】
2011201071.tif 000013
【図１２】
2011201071.tif 000014